(57)【要約】【課題】多数の独立した部品の使用や多数の工程の実行を必要とすることなく、温水タンクへの水の流入および停止を切り替える取水弁を、温水タンクと外部の給水源との間に設けることができる人体局部洗浄装置を提供すること。【解決手段】人体局部洗浄装置は、局部洗浄用水を吐出するノズルと、局部洗浄用水を貯留および加熱し、ノズルに供給する温水タンクと、外部の給水源から温水タンクへの水の流入および停止を切り替える取水弁と、を有する。取水弁は、温水タンクと一体に形成される。【選択図】図３
2015048592.tif 000002
【特許請求の範囲】
【請求項１】
局部洗浄用水を吐出するノズルと、前記局部洗浄用水を貯留および加熱し、前記ノズルに供給する温水タンクと、外部の給水源から前記温水タンクへの水の流入および停止を切り替える取水弁と、を有し、
前記取水弁は、前記温水タンクと一体に形成されていることを特徴とする人体局部洗浄装置。
【請求項２】
前記人体局部洗浄装置はさらに、前記取水弁の上流側および下流側の少なくとも一方に前記温水タンクと一体に形成され、前記給水源から供給される冷水を前記温水タンク内で加熱された温水と分離して前記温水タンク内に導く流入水路を有し、前記流入水路には、前記温水タンク内の水圧を調整する圧力調整手段が設けられていることを特徴とする請求項１に記載の人体局部洗浄装置。
【請求項３】
前記圧力調整手段は、前記取水弁の下流側に形成された前記流入水路に設けられ、前記温水タンク内の水圧に応じて、前記温水タンク内の局部洗浄用水を前記人体局部洗浄装置外に放出するリリーフ弁であることを特徴とする請求項２に記載の人体局部洗浄装置。
【請求項４】
前記温水タンク内には、前記取水弁を介して冷水が流れ込む部位と、加熱手段で水を加熱する部位とを、水の流通が可能な流通部を有して区画する仕切部材が、前記温水タンクの壁面と一体に形成されていることを特徴とする請求項１から３のいずれか１項に記載の人体局部洗浄装置。
【請求項５】
前記流通部は、前記仕切部材の下端部と前記温水タンクの壁面の間に形成された空隙であり、前記仕切部材の下端部は、前記加熱手段の上端部よりも下方に位置することを特徴とする請求項４に記載の人体局部洗浄装置。
【発明の詳細な説明】
【技術分野】
【０００１】
本発明は、人体局部洗浄装置に関し、さらに詳しくは、便座に備えられ、人体局部洗浄用に温水を吐出する人体局部洗浄装置に関する。
【背景技術】
【０００２】
便座に備えられ、温水をノズルから吐出して人体局部を洗浄する人体局部洗浄装置においては、公共水道等の外部の給水源から取った水を温水タンクに貯留して加熱し、局部洗浄用水としてノズルに供給する。給水源と温水タンクの間には通常、電磁弁（取水弁）が設けられ、開閉制御されることで、給水源から温水タンクへの水の流入および停止の切り替えを行う。ノズルから局部洗浄用水を吐出させて局部洗浄に供する間は、電磁弁が開状態とされ、給水源から温水タンクに水が流入される。
【０００３】
従来一般には、電磁弁と温水タンクの間は、ホースやパイプ等の管状の接続部材を用いて接続されてきた。このような接続部材を用いた接続を排して、電磁弁の温水タンクへの取り付けを簡素化するために、特許文献１においては、電磁弁を備えた給水ブロックが、下ケース（ベースプレート）を介して温水タンクに直接接続されている。
【先行技術文献】
【特許文献】
【０００４】
【特許文献１】特開平１１−８１４１８号公報
【発明の概要】
【発明が解決しようとする課題】
【０００５】
電磁弁を含む給水ブロックと温水タンクとの間の接続を、特許文献１のようなベースプレートを介した固定によって行えば、電磁弁と給水ブロックの間に接続部材を使わないようにすることはできる。しかし、ブロックのベースプレートへの固定に固定具が必要であることや、給水ブロックのベースプレートへの固定や給水ブロックと温水タンクとの接続に複数の工程が必要であることにより、構成部材の点数の削減や組み立て工程の簡素化にはそれほど効果を有さない。また、給水ブロックと温水タンクの間の接続部で水漏れが起こらないように、シール検査等によって、この接続部のシール性を管理しておく必要がある。
【０００６】
本発明が解決しようとする課題は、多数の独立した部品の使用や多数の工程の実行を必要とすることなく、温水タンクへの水の流入および停止を切り替える取水弁を、温水タンクと外部の給水源との間に設けることができる人体局部洗浄装置を提供することにある。
【課題を解決するための手段】
【０００７】
上記課題を解決するために、本発明にかかる人体局部洗浄装置は、局部洗浄用水を吐出するノズルと、前記局部洗浄用水を貯留および加熱し、前記ノズルに供給する温水タンクと、外部の給水源から前記温水タンクへの水の流入および停止を切り替える取水弁と、を有し、前記取水弁は、前記温水タンクと一体に形成されていることを要旨とする。
【０００８】
ここで、前記人体局部洗浄装置はさらに、前記取水弁の上流側および下流側の少なくとも一方に前記温水タンクと一体に形成され、前記給水源から供給される冷水を前記温水タンク内で加熱された温水と分離して前記温水タンク内に導く流入水路を有し、前記流入水路には、前記温水タンク内の水圧を調整する圧力調整手段が設けられていることが好ましい。
【０００９】
また、前記圧力調整手段は、前記取水弁の下流側に形成された前記流入水路に設けられ、前記温水タンク内の水圧に応じて、前記温水タンク内の局部洗浄用水を前記人体局部洗浄装置外に放出するリリーフ弁であるとよい。
【００１０】
そして、前記温水タンク内には、前記取水弁を介して冷水が流れ込む部位と、加熱手段で水を加熱する部位とを、水の流通が可能な流通部を有して区画する仕切部材が、前記温水タンクの壁面と一体に形成されていることが好適である。
【００１１】
さらにこの場合、前記流通部は、前記仕切部材の下端部と前記温水タンクの壁面の間に形成された空隙であり、前記仕切部材の下端部は、前記加熱手段の上端部よりも下方に位置することが好ましい。
【発明の効果】
【００１２】
上記発明にかかる人体局部洗浄装置によると、取水弁が温水タンクに一体に形成されているので、ホースやパイプのような接続部材をはじめとする独立した部品を用いたり、それらの部品による接続等の工程を実行したりしなくても、温水タンクの上流側に取水弁が設けられた状態となっている。これにより、取水弁が温水タンクと別体として形成されて温水タンクに接続される場合と比較して、人体局部洗浄装置の組み立てに要する部品点数および工程数が少なくなっている。また、取水弁と温水タンクの間に水の漏れが発生しないので、この部位で高いシール性が得られるとともに、取水弁と温水タンクのシール検査を一括して行えることにより、シール検査に要する時間と手間を削減することができる。
【００１３】
ここで、人体局部洗浄装置がさらに、取水弁の上流側および下流側の少なくとも一方に温水タンクと一体に形成され、給水源から供給される冷水を温水タンク内で加熱された温水と分離して温水タンク内に導く流入水路を有し、流入水路に、温水タンク内の水圧を調整する圧力調整手段が設けられている場合には、圧力調整手段によって、温水タンク内の水圧を一定に保つことができる。そして、圧力調整手段と取水弁および／または温水タンクとの間が、温水タンクと一体に形成された流入水路によって接続されるため、これらの間の部位にも、ホースやパイプのような別体の接続部材を使用する必要がない。
【００１４】
また、圧力調整手段が、取水弁の下流側に形成された流入水路に設けられ、温水タンク内の水圧に応じて、温水タンク内の局部洗浄用水を人体局部洗浄装置外に放出するリリーフ弁である場合には、温水タンク内の水圧を調整するためにリリーフ弁を介して外部に放出されるのが、温水タンク内で加熱された温水ではなく、給水源から流入した直後の冷水である。既に加熱された温水を放出しないことで、温水タンクにおける加熱効率を高めることができる。
【００１５】
そして、温水タンク内に、取水弁を介して冷水が流れ込む部位と、加熱手段で水を加熱する部位とを、水の流通が可能な流通部を有して区画する仕切部材が、温水タンクの壁面と一体に形成されている場合には、温水タンクに流れ込んだ流水の水勢が、仕切部材によって緩和され、流れ込んだ冷水が、そのままの水勢で、既に加熱されている温水と直接混合されることが防止される。これによって、十分に加熱され、安定した温度を有する局部洗浄用水がノズルから吐出される。
【００１６】
さらにこの場合、流通部が仕切部材の下端部と温水タンクの壁面の間に形成された空隙であり、仕切部材の下端部が、加熱手段の上端部よりも下方に位置する構成によれば、温水タンク内に流入した冷水が、加熱手段の下側に導かれ、徐々に上方に押し上げられながら加熱を受けるので、ノズルから吐出される局部洗浄用水が十分に高く安定した温度に加熱される効果が、一層高められる。
【図面の簡単な説明】
【００１７】
【図１】本発明の一実施形態にかかる人体局部洗浄装置の本体部の斜視図である。
【図２】上記人体局部洗浄装置の別の角度における斜視図である。
【図３】（ａ）は上記人体局部洗浄装置の側面図であり、（ｂ）は（ａ）中のＡ−Ａ断面図、（ｃ）は（ａ）中のＢ−Ｂ断面図である。
【図４】（ａ）はノズルの基端部を通って前後方向に直交する断面を後方から見た断面図であり、（ｂ）は（ａ）中のＣ−Ｃ断面図、（ｃ）は（ａ）中のＤ−Ｄ断面図である。
【図５】上記人体局部洗浄装置全体の構成を示す斜視図である。
【発明を実施するための形態】
【００１８】
以下、本発明の一実施形態にかかる人体局部洗浄装置について、図面を参照しながら詳細に説明する。本発明の一実施形態にかかる人体局部洗浄装置１は、図５に示すように、便器１００に設置され、ノズル３１，３２を介して温水を吐出して使用者の局部を洗浄するものである。
【００１９】
人体局部洗浄装置１は、着座部となる便座３と、便座３の後方に設けられた本体部２を有してなる。本体部２は、温水の吐出や温風の発生等を行う機器類や制御部等を、ケーシング４に覆われた状態で有してなる。人体局部洗浄装置１は、本体部２の構成、とりわけ温水を貯留する温水タンク１０に水が流入する部分の構造に特徴を有する。なお、本明細書において、便座３が設けられた側を前方、本体部２が設けられた側を後方とし、上下方向は重力方向に従うものとする。そして、前後方向および上下方向に直交する方向を幅方向とする。
【００２０】
図１〜４に、本体部２の温水タンク１０近傍の構成を、ケーシング４除いた状態で示す。図１および図２は異なる角度からの斜視図、図３（ａ）は温水タンクを入水側から見た側面図、図３（ｂ），（ｃ）および図４は所定の断面における断面図である。
【００２１】
温水タンク１０をはじめとする本体部２を構成する各機器や部材は、ベースプレート４０に対して固定されている。ベースプレート４０の前方には、便座３が回動可能に結合されている。ベースプレート４０を便器１００の上面後方に固定することで、本体部２と便座３が便器１００に取り付けられる。
【００２２】
長尺状のノズル３１，３２よりなるノズル対３０は、便座３の幅方向中央に当たる位置に両ノズル３１，３２の間の中心の位置を揃え、長手方向軸を前後方向に略平行にして、配置されている。ノズル３１，３２は、それぞれ中空筒状のシリンダ部と、シリンダ部の中空部内に進退可能に保持されたノズル本体部（各図の状態ではシリンダ中に収容されており、不図示）とを有する。温水タンク１０から供給された局部洗浄用水が、前進されたノズル本体部の先端近傍より吐出され、人体局部を洗浄する。２本のノズル３１，３２は、洗浄を行う人体部位や目的の違いによって使い分けられる（例えば、肛門洗浄用と、いわゆるビデ洗浄用）。ノズル３１，３２のシリンダ部の先端部３１ａ，３２ａは、ベースプレート４０の前端部に立設されたベース前端面４１において保持されるとともに、基端部３１ｂ，３２ｂが、温水タンク１０の上下方向中央よりも上側の位置において、温水タンク１０に固定されている。
【００２３】
温水タンク１０は、中空の容器として構成され、公共水道等、人体局部洗浄装置１の外部の給水源から水を供給され、その水を貯留するとともに、ヒータ８０によって加熱する。ヒータ８０は、セラミックヒータのような筒状の加熱部８１と、サーミスタのような温度測定手段を有してなり、温水タンク１０内に挿入されて、温水タンク１０内に貯留された水を所定の温度に制御して加熱するものである。ヒータ８０の加熱部８１は、温水タンク１０の上下方向中央部よりも下方に設けられている。
【００２４】
温水タンク１０は、ポリプロピレン等の樹脂よりなっている。温水タンク１０は、入水側タンク部材１１と吐水側タンク部材１２という、幅方向に分割された２つの部材よりなっている。入水側タンク部材１１と吐水側タンク部材１２のそれぞれの開口部の端縁には、外側に張り出した縁部１１ａ，１２ａが設けられている。そして、縁部１１ａ，１２ａが相互に溶着されることで、入水側タンク部材１１と吐水側タンク部材１２が開口部において接合され、中空の温水タンク１０とされている。溶着部のなす面は、上下方向と略平行になっている。
【００２５】
入水側タンク部材１１には、外部の給水源から水を取り込むために、給水パイプ５２、電磁弁（取水弁）５１、リリーフ弁５３、流入水路５４が、形成されている。これらの部材が設けられた部位の構造は、図３にとりわけ詳しく示されている。
【００２６】
給水パイプ５２は、入水側タンク部材１１の側壁である入水側タンク側壁１１ｂから幅方向外側に突出した管状の部材であり、その中空部と入水側タンク部材１１の内側の空間が連通されている。給水パイプ５２は、外部の給水源に接続される。そして、給水源から供給された水が、給水パイプ５２の基端部（給水パイプ５２と入水側タンク側壁１１ｂとの接合部）として設けられた給水口５２ａを通って、温水タンク１０の中に流入する。なお、給水パイプ５２の先端は、継手等を使用した給水源への接続作業が行いやすいように、ベース側面４２に設けられた貫通孔を通って、ベース側面４２の外側に突出している。
【００２７】
流入水路５４は、入水側タンク部材１１の内部に、入水側タンク部材１１内の空間を仕切るように入水側タンク部材１１と一体に形成された水路隔壁５４ａと、入水側タンク部材１１の壁面とに挟まれた空間として、温水タンク１０内に温水タンク１０と一体に設けられている。そして、水路隔壁５４ａは、給水パイプ５２の壁面と連続しており、流入水路５４内の空間は、給水パイプ５２の中空部と連通している。これにより、給水パイプ５２を通って給水源から供給された水は、全て流入水路５４を通って温水タンク１０内に流入する。
【００２８】
流入水路５４の中途部位には、電磁弁５１が設けられている。電磁弁５１は電気信号を受けて開閉制御され、ノズル３１，３２から局部洗浄用水を吐出する際には、電磁弁５１が開状態とされ、給水源から流入水路５４を介して温水タンク１０へと水が流入される。電磁弁５１が閉状態とされている時には、流入水路５４の途中で水の流れが遮断され、給水源から温水タンク１０への水の流入が停止されている。
【００２９】
電磁弁５１は、温水タンク１０と一体に形成されている。つまり、弁座５１ｂが形成された樹脂よりなる弁箱５１ａが、金型を用いた一体成形等により、入水側タンク部材１１の壁面と一体に形成されている。そして、弁箱５１ａとは別体に形成された弁体５１ｃやソレノイド５１ｄ等を有してなる弁体ユニット５１ｅが、弁箱５１ａを覆うように配置され、ねじ留めによって弁箱５１ａに固定されている。
【００３０】
流入水路５４の中途部位にはさらに、電磁弁５１の下流側に、リリーフ弁５３が設けられている。リリーフ弁５３は、ばね部材５３ｃを利用することで開放量を調節可能なバルブであり、温水タンク１０への水の流入によって温水タンク１０内の水圧が高まるほど大きく開放され、温水タンク１０内の水をリリーフ口５３ｄから便器１００に捨てる。これにより、リリーフ弁５３は、温水タンク１０内の水圧を一定に保つ役割を果たす。
【００３１】
リリーフ弁５３も、温水タンク１０と一体に形成されている。つまり、電磁弁５１と同様に、弁座５３ｂを有する弁箱５３ａが、入水側タンク部材１１と一体に形成されている。そして、弁体５３ｅやばね部材５３ｃ、リリーフ口５３ｄを有してなる弁体ユニット５３ｆが、弁箱５３ａに固定されている。なお、リリーフ口５３ｄから放出された水が飛散しないように、リリーフ口５３ｄは水平方向かそれよりも下方に突出して設けられている。
【００３２】
吐水側タンク部材１２には、上下方向中央部より上方の部位に、ノズル３１，３２の基端部３１ｂ、３２ｂが接続されている。そして、吐水側タンク部材１２内の空間とノズル３１，３２の間には、流路切替えバルブ６０が設けられている。流路切替えバルブ６０は、ノズル３１，３２のうち一方を選択して温水タンク１０内の局部洗浄用水を流出させるとともに、その流出量を調整する役割を果たす。
【００３３】
さらに、入水側タンク部材１１と吐水側タンク部材１２の内側の空間には、図４に示されるように、第一の仕切板７１と第二の仕切板７２よりなる仕切部材７０が設けられている。これらの仕切板７１，７２は、後方に向かって斜め下に傾斜した平板状の形状を有しており、入水側タンク部材１１および吐水側タンク部材１２の前方の壁面１１ｃ，１２ｃから一体的に延出している。２つの仕切板７１，７２の下端縁７１ａ，７２ａは、温水タンク１０の底面に接触しておらず、温水タンク１０の底面との間に、水が流通できる流通部として機能する空隙Ｇが形成されている。そして、仕切板７１，７２の下端縁７１ａ，７２ａは、ヒータ８０の加熱部８１の上端部８１ａよりも、下方に配置されている。
【００３４】
また、本実施形態にかかる人体局部洗浄装置１においては、ヒータ８０の加熱部８１が温水タンク１０の上下方向中央部よりも下方に設けられ、ノズル３１，３２の基端部３１ｂ、３２ｂが温水タンク１０の上下方向中央部よりも上方に設けられている。この構成と、仕切部材７０の構成により、加熱部８１で加熱されてノズル基端部３１ｂ，３２ｂの位置まで上昇した温水を、十分に高く、かつムラのない安定な温度でノズル３１，３２から吐出することができる。
【００３５】
従来一般の人体局部洗浄装置においては、温水タンクと別体に、電磁弁が形成され、温水タンクと電磁弁の間が、ホースやパイプ等、別体よりなる管状の接続部材によって接続されている。これに対し、本実施形態にかかる人体局部洗浄装置１においては、温水タンク１０に、電磁弁５１が一体に形成されている。これにより、電磁弁５１と温水タンク１０の間を接続するための接続部材が不要となっており、それらを接続するための工程も不要となっている。接続部材以外にも、特許文献１の場合のように、例えば電磁弁５１をベースプレート４０に固定するための固定部材など、人体局部洗浄装置１の他の部位を介して電磁弁５１と温水タンク１０を相互に固定するための部材も必要でない。このように、温水タンク１０と電磁弁５１の間の部位の構成が、極めて簡素なものとなっている。
【００３６】
また、温水タンク１０と電磁弁５１の間にホースやパイプ等の接続部材が用いられていないことから、温水タンク１０と電磁５１弁の間で、水漏れに対する高いシール性が発揮される。さらに、従来は温水タンクと電磁弁で別々に行っていた気密検査を、温水タンク１０と電磁弁５１で一括して行うことができるので、検査工程に要する時間とコストが大幅に削減されている。
【００３７】
上記の人体局部洗浄装置１においては、電磁弁５１のみならず、給水パイプ５２、リリーフ弁５３、流入水路５４も温水タンク１０と一体に形成されている。これにより、給水源、電磁弁５１、リリーフ弁５３、温水タンク１０のいずれの間についても、ホースやパイプ等の接続部材を配置する必要が排除されている。これにより、人体局部洗浄装置１の部品コストおよび組み立てコストが一層削減されている。また、気密検査も、給水パイプ５２から温水タンク１０に至る水流路について、全て一括で行うことができる。なお、吐水側タンク部材１２において、ノズル３１，３２の基端部３１ｂ，３２ｂが接続される接続部および流路切替えバルブ６０も、吐水側タンク部材１２と一体に形成しておけば、気密検査を給水パイプ５３からノズル３１，３２に至る水流路全体で一括して行うことができる。
【００３８】
上記の人体局部洗浄装置１においては、流入水路５４が形成されていることで、給水源から流入した加熱されていない冷水が、温水タンク１０内に満たされた、ヒータ８０で加熱された温水と、水路隔壁５４ａによって分離されている。そして、リリーフ弁５３が電磁弁５１と並んで、流入水路５４上に設けられていることで、温水タンク内の水圧を調整するに際し、ヒータ８０で加熱された温水ではなく、流入水路５４を通って温水タンク１０内に流入した直後の冷水を選択的に放出することができる。これにより、既に加熱された温水がリリーフ弁５３から放出されることによる加熱効率の低下が抑制されている。
【００３９】
また、上記の人体局部洗浄装置１においては、仕切部材７０が設けられていることで、電磁弁５１を介して給水パイプ５２から温水タンク１０に流入した冷水の水勢が緩和され、冷水とヒータ８０の加熱部８１によって加熱された温水とが直接混合されないようになっている。これにより、ノズル３１，３２から吐出される局部洗浄用水の温度が、十分に高く、かつ安定となっている。このような仕切部材７０の役割は、流入水路５４によって冷水の流入経路が規定されていない場合にも発揮されるが、上記のように、冷水が狭い流入水路５４を通って温水タンク１０内に導入される場合に、冷水が高い水勢と指向性を有して温水タンク１０内に導かれるので、仕切部材７０が効果的にその水勢と指向性を緩和するのに作用する。
【００４０】
さらに、上記の仕切部材７０においては、仕切板７１，７２の下端縁７１ａ，７２ａが、加熱部８１の上端部８１ａよりも下方に位置することで、流入水路５４を通って仕切部材７０よりも下方に流入した冷水が、仕切部材７０によって水勢を弱められたうえで、空隙Ｇを通って徐々に上昇して、既に加熱された温水と徐々に混合されながら、加熱部８１によって加熱を受ける。こうして加熱された温水は、徐々に上方に押し上げられるようにして、温水タンク１０の上下方向中央よりも上方に設けられたノズル３１，３２の基端部３１ｂ，３２ｂに供給される。これにより、ノズル３１，３２から吐出される局部洗浄用水の温度は、一層高く安定なものとなっている。
【００４１】
なお、このような仕切部材７０の役割に鑑みると、２枚の仕切板７１，７２の間の隔たりは、小さい方がよく、さらには設けられない方が好ましいが、入水側タンク部材１１と吐水側タンク部材１２から温水タンク１０を構成しているために、不可避的に生じているものである。また、仕切板は入水側タンク部材１１と吐水側タンク部材１２の両方に設けられなくても、一方のみ設けられた場合にも、ある程度の効果を発揮する。
【００４２】
以上のように、電磁弁５１、給水パイプ５２、リリーフ弁５３、流入水路５４、仕切板７１，７２を温水タンク１０と一体に形成することに鑑みると、上記のように、温水タンク１０が入水側タンク部材１１と吐水側タンク部材１２の２つの部材に分割されて構成されていることが製造上有利となる。一体に形成すべき各部材を設けた入水側タンク部材１１と吐水側タンク部材１２を、金型成形によって別々に形成したうえで、両者を幅方向に接合することで、簡便に温水タンク１０を形成することができるからである。さらに、割型を用いた成形を容易とする観点から、電磁弁５１とリリーフ弁５３は、相互に平行に設けられていることが好ましい。また、給水パイプ５２および水路隔壁５４ａは、仕切板７１，７２と平行になっていることが好ましい。
【００４３】
（その他の実施形態）
上記実施形態にかかる人体局部洗浄装置１には、以下のような変形形態が考えられる。
（１）上記実施形態においては、温水タンク１０内の水圧を調整するための圧力調整手段として、電磁弁５１の下流側にリリーフ弁５３が設けられたが、リリーフ弁５３の代わりに、電磁弁５１の上流側にレギュレータを設けてもよい。レギュレータは、通過する水の圧力を連続的に変更することができる圧力調整手段であり、水を外部に捨てることなく温水タンク１０内の圧力を一定に保つことができる。レギュレータはリリーフ弁よりも高価な圧力調整手段ではあるが、節水性の観点から好適に採用することができる。電磁弁５１の上流側にレギュレータを設ける場合、レギュレータを介して給水パイプ５２を給水源に接続すればよい。すると、レギュレータと電磁弁５１の間を、ホース、パイプ等の接続部材を用いずに接続することができる。
【００４４】
なお、上記では、説明の便宜上、給水パイプ５２と流入水路５４を別の部材として扱ったが、給水パイプ５２は、温水タンク１０と一体に形成され、給水源から供給される冷水を温水タンク１０内で加熱された温水と分離して温水タンク１０内に導くという意味において、流入水路５４の一部とみなすことができる。電磁弁５１の上流側および下流側の少なくとも一方に流入水路５４を形成し、圧力調整手段をその流入水路５４に設けることで（リリーフ弁の場合は電磁弁５１の下流側、レギュレータの場合は電磁弁５１の上流側）、電磁弁５１、温水タンク１０、圧力調整手段のいずれの間にも、ホース、パイプ等の接続部材を設ける必要がなくなっている。さらに、電磁弁５２および圧力調整手段よりも上流に、適宜流量調整弁を設けてもよい。
【００４５】
（２）仕切部材７０は、上記のような形状と配置を有する仕切板７１，７２よりなっている必要はなく、冷水が流れる領域と温水が存在する領域を区画し、かつ水が流通することができる流通部を有するものであればよい。ただし、冷水と温水の混合を防ぐ効果の程度は仕切部材の具体的な構成に依存する。
【００４６】
（３）電磁弁５１の温水タンク１０への設置部分の簡素化という目的においては、電磁弁５１が温水タンク１０と一体に形成された構成さえ有していれば、流入水路５４や仕切部材７０は必ずしも設けられなくてもよいし、設けられる場合にも、温水タンク１０と一体に形成されなくてもよい。また、リリーフ弁５３に関しても、温水タンク１０と一体に形成されている必要も、冷水のみを放出できるように流入水路５４の中途部位に設けられている必要もない。
【００４７】
（４）上記実施形態においては、シリンダ部とノズル本体部よりなり、局部洗浄用水の水圧によってノズル本体部がシリンダの中で進退運動する水圧式ノズル３１，３２が設けられた。しかし、水圧式ノズル３１，３２の代わりに、シリンダを有さず、露出したノズルがモータに駆動されて進退運動を行う電動式ノズルを採用することもできる。この場合には、ノズルを進退可能に保持するガイド部材に固定され、ノズルに洗浄用水を供給するための水の入り口となる給水アダプタを、保温タンク１０の上下方向中央よりも上方に設けられた給水口に接続すればよい。
【００４８】
以上、本発明の実施形態について詳細に説明したが、本発明は上記実施形態に限定されるものではなく、本発明の要旨を逸脱しない範囲で種々の改変が可能である。また、本発明の実施形態からは外れるものの、上記実施形態において採用された電磁弁５１以外の各要素の構成を、それぞれ単独でまたは組み合わせて適用すれば、それぞれの構成が有する効果を享受することができる。そのような構成としては、以下のようなものが挙げられる。
（ｉ）電磁弁の上流側および下流側の少なくとも一方に温水タンクと一体に形成され、給水源から供給される冷水を温水タンク内で加熱された温水と分離して温水タンク内に導く流入水路が形成され、その流入水路に、温水タンク内の水圧を調整する圧力調整手段が設けられる構成。
（ｉｉ）リリーフ弁が、取水弁の下流側に形成された流入水路に設けられる構成。
（ｉｉｉ）温水タンク内に、取水弁を介して冷水が流れ込む部位と、加熱手段で水を加熱する部位とを、水の流通が可能な流通部を有して区画する仕切部材が、温水タンクの壁面と一体に形成されている構成。この場合、仕切部材の具体的な形状と配置は、上記実施形態における仕切部材７０と同様とすることができる。
【符号の説明】
【００４９】
１                人体局部洗浄装置
２                本体部
３                便座
１０              温水タンク
１１              入水側タンク部材
１１ｂ            入水側タンク側壁
１２              吐水側タンク部材
３１，３２        ノズル
３１ａ，３２ａ    （ノズルの）先端部
３１ｂ，３２ｂ    （ノズルの）基端部
４０              ベースプレート
５１              電磁弁（取水弁）
５１ａ            弁箱
５１ｅ            弁体ユニット
５２              給水パイプ
５２ａ            給水口
５３              リリーフ弁
５３ａ            弁箱
５３ｆ            弁体ユニット
５４              流入水路
５４ａ            水路隔壁
６０              流路切替えバルブ
７０              仕切部材
７１              第一の仕切板
７２              第二の仕切板
８０              ヒータ
８１              加熱部
Ｇ                空隙（流通部）
【図１】
2015048592.tif 000003
【図２】
2015048592.tif 000004
【図３】
2015048592.tif 000005
【図４】
2015048592.tif 000006
【図５】
2015048592.tif 000007